(57)【要約】      （修正有）【課題】長期にわたる使用をしても放電ギャップ器具内の導電線の配設状態（取付状態）が適切な状態を維持することが可能な放電ギャップ器具とこれを用いた電気柵用電圧保持装置を提供する。【解決手段】ＰＥＴ容器により形成され、電線挿通孔１４が配設された本体部１２と、一端部が電線挿通孔１４を経由して本体部１２の外部と本体部１２の内部空間との間を交互に挿通された後に、本体部１２の内部空間に引き出され、他端部が電気柵または電気柵に所定の電圧を印加するための電源装置に接続される第１の電線２０および第２の電線２０と、を有し、第１の電線２０と第２の電線２０の先端部どうしが、本体部１２の内部空間で所要間隔をあけて、電気柵用放電ギャップ器具１０を形成し、これを用いて電気柵用電圧保持装置を構成する。【選択図】図１
0003162911.tif 000002
【実用新案登録請求の範囲】
【請求項１】
ＰＥＴ容器により形成され、電線挿通孔が穿設された本体部と、
一端部が前記電線挿通孔を経由して前記本体部の外部と前記本体部の内部空間との間を交互に挿通された後に、前記本体部の内部空間に引き出され、他端部が電気柵に接続される第１の電線と、
一端部が前記電線挿通孔を経由して前記本体部の外部と前記本体部の内部空間との間を交互に挿通された後に、前記本体部の内部空間に引き出され、他端部が電気柵に所定の電圧を印加するための電源装置に接続される第２の電線と、を有し、
前記第１の電線と前記第２の電線の先端部どうしが、前記本体部の内部空間で所要間隔をあけて配設されていることを特徴とする電気柵用放電ギャップ装置。
【請求項２】
前記電線挿通孔は、前記本体部側壁面の５箇所に形成されていることを特徴とする請求項１記載の電気柵用放電ギャップ装置。
【請求項３】
前記本体部の内部空間で所要間隔をあけて対向した状態の第1および第2の電線のそれぞれの先端部の高さ位置は、前記本体部に最後に挿通された前記電線挿通孔の高さ位置よりも下方位置であることを特徴とする請求項１または２記載の電気柵用補運電ギャップ。
【請求項４】
前記本体部の側壁面は、側壁面の周方向に沿って所要間隔をあけて本体部の高さ方向にのびる切り込み線が形成されていて、側壁部分先端部分が本体部の外方に向けて曲折されていることを特徴とする請求項１〜３のうちのいずれか一項に記載の電気柵用放電ギャップ装置。
【請求項５】
ＰＥＴボトルを高さ方向に二分して得たネック部およびボトム部を当該ネック部の側壁部の外側に前記ボトム部の側壁部を重複させた状態で組み立てられるケースと、
前記ネック部に収容される放電ギャップ装置および電気柵に所定の電圧を保持させるための電源装置と、
前記ネック部内において電源装置を誤放電から保護する保護体と、を有し、
前記ネック部の縮径部には前記ネック部の内部空間と外部とを連通する連通孔が形成されていて、
請求項１〜４のうちいずれか一項に記載の放電ギャップ装置が、前記連通孔位置に位置合わせした状態で前記ケースに収容されていることを特徴とする電気柵用高圧電流発生装置。
【請求項６】
前記ケースの外表面をさらに被覆し、先端部が前記ネック部に配設された連通孔位置よりも下方側に位置する笠体をさらに有していることを特徴とする請求項５記載の電気柵用高圧電流発生装置。
【請求項７】
前記保護体および前記笠体は廃ＰＥＴ容器により形成されていることを特徴とする請求項６記載の電気柵用高圧電流発生装置。
【考案の詳細な説明】
【技術分野】
【０００１】
本考案は、電気柵用放電ギャップ装置とこれを用いた電気柵用高圧電流発生装置に関する。
【背景技術】
【０００２】
一定の電圧が印加されている導電線を田畑等に張り巡らし、田畑に野生動物が侵入することを阻止するために電気柵が用いられている。このような室外に配設された電気柵が自然環境下においても適切に作動させるために、本考案者は特許文献１に開示するような電気柵用放電ギャップ装置の発明についての特許権を取得している。
【０００３】
特許文献１に開示されている電気柵用放電ギャップ装置によれば、自然環境下においても電気柵を適切に作動させることができるため広く好適に利用されている。この電気柵用放電ギャップ装置は、一端が電源装置に電気的に接続されている第１の端子と、一端が導電線に電気的に接続されている第２の端子とを備え、これら第１の端子と第２の端子は、各々の先端部を互いに対向させ、所定距離離間させた状態で保持部材に支持されたものである。この保持部材は、２つのペット（ＰＥＴ：ポリエチレンテレフタレート）ボトルの底部どうしを向かい合わせに接着して形成されている。ペットボトルの底部にはエアブロー成形時に形成される凹部があるため、ペットボトルの底部どうしを向かい合わせることで凹部により形成された閉塞空間で導電線先端部どうしを対向させている。このような保持部材の構成を採用することで、ペットボトルの有効利用が図れ、第１の端子と第２の端子の先端部どうしの離間距離を適切な状態に保持することができた。
【先行技術文献】
【特許文献】
【０００４】
【特許文献１】特許第４０１４５０３号公報
【考案の概要】
【考案が解決しようとする課題】
【０００５】
特許文献１にかかる電気柵用の放電ギャップ装置（以下、単に放電ギャップ装置という）を自然環境下で長期間にわたって使用すると、保持部材を構成するペットボトルの底部どうしの接着部分が劣化により破損してしまうおそれがある。放電ギャップ装置内における放電ギャップの状態を保持する部分であるペットボトルの底部どうしの接着部分が破損してしまうと、放電ギャップ装置内における第１の端子と第２の端子の各先端部間の適切な離間状態が崩れ、放電ギャップ装置として正常に動作しなくなってしまうことがあるため、放電ギャップ装置のメンテナンスが必要になるといった課題の存在が明らかになった。
【０００６】
そこで本願考案は、長期にわたる使用をしても電気柵用放電ギャップ装置内の導電線の配設状態（取付状態）が適切な状態を維持することが可能で、メンテナンス頻度を低減可能な電気柵用放電ギャップ装置とこの電気柵用放電ギャップ装置を用いた電気柵用高圧電流発生装置の提供を目的としている。
【課題を解決するための手段】
【０００７】
上記課題を解決するために本考案者は鋭意研究を行った結果、以下の構成に想到した。
すなわち、ＰＥＴ容器により形成され、電線挿通孔が穿設された本体部と、一端部が前記電線挿通孔を経由して前記本体部の外部と前記本体部の内部空間との間を交互に挿通された後に、前記本体部の内部空間に引き出され、他端部が電気柵に接続される第１の電線と、一端部が前記電線挿通孔を経由して前記本体部の外部と前記本体部の内部空間との間を交互に挿通された後に、前記本体部の内部空間に引き出され、他端部が電気柵に所定の電圧を印加するための電源装置に接続される第２の電線と、を有し、前記第１の電線と前記第２の電線の先端部どうしが、前記本体部の内部空間で所要間隔をあけて配設されていることを特徴とする電気柵用放電ギャップ装置である。
【０００８】
また、ＰＥＴボトルを高さ方向に二分して得たネック部およびボトム部を当該ネック部の側壁部の外側に前記ボトム部の側壁部を重複させた状態で組み立てられるケースと、前記ネック部に収容される電気柵用放電ギャップ装置および電気柵に所定の電圧を保持させるための電源装置と、前記ネック部内において電源装置を誤放電から保護する保護体と、を有し、前記ネック部の縮径部には前記ネック部の内部空間と外部とを連通する連通孔が形成されていて、本考案にかかる電気柵用放電ギャップ装置が、前記連通孔位置に位置合わせした状態で前記ケースに収容されていることを特徴とする電気柵用高圧電流発生装置の考案もある。
【考案の効果】
【０００９】
本考案にかかる電気柵用放電ギャップ装置とこの電気柵用放電ギャップ装置を用いた電気柵用高圧電流発生装置によれば、長期間にわたって使用しても電気柵用放電ギャップ装置内の電線の先端部どうしの離間状態（放電ギャップの状態）を当初状態に維持させることができる。これにより、電気柵用放電ギャップ装置のメンテナンス頻度を大幅に低減させることができ、低コストで電気柵の運用を行なうことができる。
【図面の簡単な説明】
【００１０】
【図１】本実施形態における電気柵用高圧電流発生装置のケースのネック部から収容物を取り出した状態を示す斜視図である。
【図２】図１中の電気柵用放電ギャップ装置の拡大斜視図である。
【図３】電気柵用放電ギャップ装置の別角度からの拡大斜視図である。
【図４】図１に示す構成をネック部に収容した状態を示す下方斜視図である。
【図５】図４の状態における平面図である。
【図６】ネック部にボトム部を装着する状態を示す側面図である。
【図７】電気柵用高圧電流発生装置のケースに笠体を装着する状態を示す側面図である。
【図８】笠体の装着後の状態を示す側面図である。
【図９】図８に示す電気柵用高圧電流発生装置を支柱に装着する状態を示す下方斜視図である。
【図１０】図９の電気柵用高圧電流発生装置を支柱に装着した状態を示す正面図である。
【考案を実施するための最良の形態】
【００１１】
以下、本考案にかかる電気柵用高圧電流発生装置の実施形態について図面に基づいて説明する。図１は、本実施形態における電気柵用高圧電流発生装置のケースのネック部から収容物を取り出した状態を示す斜視図である。
電気柵用高圧電流発生装置１００のケース３０を構成するネック部３２には、図１に示すように、電気柵用放電ギャップ装置１０と、電源供給制御部４０と、昇圧器５０と、コンデンサ６０とが収容されている。電気柵に所定の電圧を印加するための電源装置である電源供給制御部４０と昇圧器５０とコンデンサ６０とは、それぞれ保護体７０により被覆された状態でネック部３２の内部空間に収容されている。本実施形態におけるケース３０は、ペットボトル容器を高さ方向に二分して得た注ぎ口側のネック部３２とボトム部３８とにより構成されている。
【００１２】
図２は、図１中の電気柵用放電ギャップ装置の拡大斜視図である。図３は、電気柵用放電ギャップ装置の別角度からの拡大斜視図である。
本実施形態にかかる電気柵用放電ギャップ装置１０は、ＰＥＴ樹脂製の容器から底部と側壁部分の一部とを一体に切り取り加工した本体部１２と、本体部１２の側壁面に穿設された電線挿通孔１４に挿通され、本体部１２の内部空間内で互いの先端部どうしが所要間隔をあけて対向した状態で保持され、他端部が図示しない電気柵または電気柵に所定の電圧を印加するための電源装置を構成するコンデンサ６０に接続された２本の電線２０とを有している。本体部１２の側壁の自由端部側（本体部１２の開口部側）には、側壁の周方向に沿って所要間隔をあけて本体部１２の底部側に伸びる切り込み線が設けられており、隣接する切り込み線により区分された部分が本体部１２の底部径方向（本体部１２の側壁の面外方向）に曲折可能な曲折片１６に形成されている。
【００１３】
電線挿通孔１４は、本体部１２の側壁に貫通孔を穿設することにより形成されている。電線２０は、電線挿通孔１４部分から本体部１２の外部から内部空間へ、内部空間から外部へと交互に挿通される。図３に示すように、本実施形態における本体部１２の側壁には１本の電線２０に対して５箇所の電線挿通孔１４が配設されている。電線挿通孔１４が形成されている本体部１２の側壁部分を正面視すると、四角形の各頂点位置と、四角形の対角線が交差する位置（またはこの対角線交差点の近傍位置）とに電線挿通孔１４が配設されており、電線２０はそれぞれの電線挿通孔１４に対して四角形の各頂点位置と、四角形の対角線交差点位置の順に挿通される。このようにして本体部２０の側壁に挿通された電線２０は、略「の」字状を描いた状態で本体部１２に保持されている。このようにして本体部１２の内部空間に引き込まれた２本の電線２０の先端部高さ位置は、ともに最後に挿通させた（電線挿通孔１４が形成された本体部１２の側壁部を正面視した際に中央に位置している）電線挿通孔１４の高さ位置よりも下方側となる位置において、互いの先端部が所要間隔をあけた状態で離間している。
以上に説明したような電線２０の保持形態を採用することにより本体部１２の内部空間に引き出された電線２０は、先端部の位置ずれがきわめて起こりにくくなり、電気柵用放電ギャップ装置１０における放電性能を長期にわたって維持させることができ好都合である。
【００１４】
以上のように形成された電気柵用放電ギャップ装置１０は、本体部１２の開口部を下方に向けた状態で、図４に示すようにペットボトルを高さ方向に二分したうちのネック側であるネック部３２の内部空間の下部縮径部分に配設される。本体部１２から延出する電線２０は、ネック部３２の側壁に形成された電線取り出し孔３３からネック部３２の外部に引き出されている。
【００１５】
電気柵用放電ギャップ装置１０は、本体部１２に形成された曲折片１６を本体部１２の側壁に対して面外方向に曲折し、ネック部３２の下部縮径部分における側壁部の内側面に当接させることにより、電気柵用放電ギャップ装置１０をネック部３２に安定させた状態で収容することが可能になる。このようにしてネック部３２に収容された電気柵用放電ギャップ装置１０は、本体部１２の開口面位置がネック部３２の下部縮径部分に形成された連通孔３４の位置よりも上方側高さ位置となるように配設されている。連通孔３４は、電気柵用放電ギャップ装置１０の放電により発生するオゾンをケース３０の内部から外部に排出させるためのものであり、ネック部３２の内周面の周方向に沿って所要間隔をあけて複数個所に配設されている。このような連通孔３４によりケース３０内の収容物をオゾンの酸化による故障から保護することができる。
【００１６】
図４は、図１に示す構成をネック部に収容した状態を示す下方斜視図である。図５は、図４の状態における平面図である。
図４および図５に示すように、ネック部３２の内部空間には、電気柵用放電ギャップ装置１０の収容位置の上部位置に電気柵用放電ギャップ装置１０側からコンデンサ６０、昇圧器５０、電源供給制御部４０が記載順に収容されている。電源供給制御部４０は、電気柵の電源装置（ともに図示せず）から昇圧器５０への電源供給をオンオフ切り替えするものである。昇圧器５０への電源供給のオンオフ切り替え方法としては、例えば電源供給制御部４０に配設した光検出センサ４２による光の検出状態に応じてオンオフ切り替えする電源供給回路を採用することができる。このような電源供給回路としては、例えば検出した光の強弱により抵抗値を変化させるＣｄＳセルを光検出センサ４２として用いればよい。
【００１７】
通常、電源供給制御部４０の電源供給回路は、夜間のみに昇圧器５０への電源供給がオンになるように設計されている。ＬＥＤ４４は、昇圧器５０への電源供給がオンの状態において点灯または点滅し、電気柵に電源が供給されている状態が目視により確認可能になっている。昇圧器５０は、電源供給制御部４０から供給された電源の電圧を所定の電圧（本実施形態においては７，０００〜８，０００ボルト程度）まで昇圧させるものである。コンデンサ６０は、昇圧器５０により昇圧された高圧電源を一時貯留し、電気柵の裸電線（図示せず）の電圧が降下し、電気柵用放電ギャップ装置１０による放電が行なわれる際に高圧電源を放出するものである。
【００１８】
本実施形態においては、昇圧器５０により生成される電源の電圧が高いため、誤放電が発生するおそれがある。この誤放電による部品の故障防止対策として、電源供給制御部４０、昇圧器５０、コンデンサ６０はそれぞれＰＥＴ樹脂からなる保護体７０による被覆がなされている。本実施形態における保護体７０は、廃ペット容器を切り取り加工することにより形成した。
【００１９】
図６は、ネック部にボトム部を装着する状態を示す側面図である。図７は、電気柵用高圧電流発生装置のケースに笠体を装着する状態を示す側面図である。図８は、笠体の装着後の状態を示す側面図である。
電気柵用放電ギャップ装置１０、電源供給制御部４０、昇圧器５０、コンデンサ６０を収容したネック部３２には、ネック部３２と対をなすボトム部３８が装着される。ネック部３２とボトム部３８とはもともとは１本のペットボトルである。よって、ネック部３２の開口部とボトム部３８の開口部を図６に示すように向かい合わせた状態とし、図７の左半分側に示すようにネック部３２の側壁外側面にボトム部３８の側壁内側面を重複させるように被せた状態にすれば、ネック部３２の開口部がボトム部３８の底面により被覆された状態にすることができる。ネック部３２の側壁から引き出されていた電線２０は、ネック部３２の側壁とボトム部３８の側壁の間部分を通りボトム部３８の開口部側から引き出される。
【００２０】
さらに本実施形態においては、図７および図８に示すように、ボトム部３８の外側から笠体８０を装着して電気柵用高圧電流発生装置１００としている。この笠体８０はケース３０のボトム部３８と同様に、飲料用ペットボトルの底部と側壁部とを一体に切り取り加工したものを用いている。笠体８０の側壁のコーナー部分には笠体８０の開口部側から底部側に伸びる切込線（図示せず）が形成されているので、笠体８０の開口部を拡大させることができるため、笠体８０によりケース３０の外表面を覆った状態で装着することができる。
【００２１】
また、図８に示すように、笠体８０の側壁の高さ寸法は笠体８０をネック部３２に装着した際に、笠体８０の開口部側先端位置が連通孔３４の配設位置と、支柱差込部３６となるネック部３２の注ぎ口部分との中間位置となる高さ寸法に調節されていることが好ましい。このような笠体８０を装着することにより、電気柵用高圧電流発生装置１００が風雨にさらされたとしても、連通孔３４からケース３０の内部に雨等が侵入することを防止できるため好都合である。
【００２２】
図９は、図８に示す電気柵用高圧電流発生装置を支柱に装着する状態を示す下方斜視図である。図１０は、図９の電気柵用高圧電流発生装置を支柱に装着した状態を示す正面図である。
図８に示した電気柵用高圧電流発生装置１００は、図９に示すようないわゆる塩ビパイプ９２に継手部材９４を連結した支柱９０に取り付けることができる。図１０に示すように支柱９０に取り付けられた電気柵用高圧電流発生装置１００は、畑等の電気柵設置対象区域に所要間隔に適宜個数を配設し、電線２０を図示しない電気柵の電源供給装置に接続すればよい。図に表れている他の電線は、接地用電線および電気柵の裸電線との接続用電線である。なお、図示しないが、電線２０と、接地用電線および電気柵の裸電線との接続用電線の先端部にクランプ型の接続端子を取り付けておくことが好ましい。本考案における電気柵は屋外製品であるため、このように電気的接続を簡単に行なうことができる構成はきわめて重要である。
【００２３】
以上に説明したとおり、本考案にかかる電気柵用放電ギャップ装置１０およびこれを用いた電気柵用高圧電流発生装置１００は、使用済みのペットボトル容器を用いていると共に、きわめて簡易な構成であるため、低コストでの製造が可能である。また、メンテナンス頻度も低く、電気柵用放電ギャップ装置１０の配設により電気柵に対して常時電源を供給する必要がなく、さらには獣害の少ない昼間も電源供給をストップさせておくことができるため、電気柵の運用コストも大幅に低減させることができるといった優れた作用効果を奏する。
【００２４】
以上の本実施形態における電気柵用放電ギャップ装置１０とこれを用いた電気柵用高圧電流発生装置１００について説明をしたが、本考案における電気柵用放電ギャップ装置１０およびこれを用いた電気柵用高圧電流発生装置１００は本実施形態に限定されるものではなく、本考案の要旨を変更しない範囲において適宜変更がなされたとしても本考案の技術的範囲に属するのはもちろんである。
【００２５】
例えば、以上に説明した実施形態においては、電気柵用放電ギャップ装置１０には曲折部１６が形成されているが、曲折部１６の配設は省略してもよい。曲折部１６を配設しない場合には電気柵用放電ギャップ装置１０の設置時にネック部３２との接触部分に接着剤を用いてネック部３２と電気柵用放電ギャップ装置１０とを位置決めした後に電気柵用放電ギャップ装置１０がずれないようにしておけば良い。
また、本実施形態においては、電気柵用放電ギャップ装置１０には５箇所に電線挿通孔１４を配設した形態について説明したが、電線挿通孔１４の配設数は５箇所に限定されるものではない。要は、本体部１２の内部空間内に引き出した電線２０の先端部位置が簡単に位置ずれしないように電線２０を本体部１２に保持させることができれば、５箇所よりも多くても少なくても良いのである。
さらには、本実施形態における電気柵用放電ギャップ装置１０は、本体部１２の開口面位置が連通孔３４の配設位置よりも上方側位置となるように配設されているが、本体部１２の開口面位置は連通孔３４の配設位置とほぼ同じ高さ位置であってもよい。
【００２６】
また、本実施形態においては、電気柵用高圧電流発生装置１００には、笠体８０を装着しているが、笠体８０の装着は省略することもできる。この場合、ボトム部３８の側壁部先端部の位置がネック部３２の挿通孔３４と支柱差込部３６との間位置となるようにすれば笠体８０と同様な状態にすることができるため好適である。この構成を採用することにより、電気柵用高圧電流発生装置１００に用いるペットボトルは１本で済むため、廃材の発生を防ぐことができるといったメリットもある。
また、電気柵用高圧電流発生装置１００のケース３０に用いているペットボトルは、断面形状が矩形状のものを用いているが、円形断面のペットボトルを用いても良い。
【符号の説明】
【００２７】
１０  電気柵用放電ギャップ装置
１２  本体部
１４  電線挿通孔
１６  曲折片
２０  電線
３０  ケース
３２  ネック部
３３  電線取り出し孔
３４  連通孔
３６  支柱差込部
３８  ボトム部
４０  電源供給制御部
５０  昇圧器
６０  コンデンサ
７０  保護体
８０  笠体
９０  支柱
９２  塩ビパイプ
９４  継手部材
１００  電気柵用高圧電流発生装置
【図１】
0003162911.tif 000003
【図２】
0003162911.tif 000004
【図３】
0003162911.tif 000005
【図４】
0003162911.tif 000006
【図５】
0003162911.tif 000007
【図６】
0003162911.tif 000008
【図７】
0003162911.tif 000009
【図８】
0003162911.tif 000010
【図９】
0003162911.tif 000011
【図１０】
0003162911.tif 000012
【手続補正書】
【提出日】平成22年7月15日(2010.7.15)
【手続補正１】
【補正対象書類名】実用新案登録請求の範囲
【補正対象項目名】請求項３
【補正方法】変更
【補正の内容】
【請求項３】
前記本体部の内部空間で所要間隔をあけて対向した状態の第１および第２の電線のそれぞれの先端部の高さ位置は、前記本体部に最後に挿通された前記電線挿通孔の高さ位置よりも下方位置であることを特徴とする請求項１または２記載の電気柵用放電ギャップ装置。